(57)【要約】【課題】温水暖房システムに新たに端末機を設ける場合の施工上の手間を省き、施工性を高める。【解決手段】熱源機１と、遠隔コントローラ１４と、熱源機１の温水暖房系統１９に配管接続される暖房用の端末機２とを含み、遠隔コントローラ１４には、遠隔コントローラ１４により制御可能となる端末機２に対応して端末機対応が可能な操作部が設けられ、新設の端末機２ｄが配管接続される温水暖房系統１９として選択可能もしくは選択不可能な温水暖房系統を検索する検索手段と、その検索結果を報知する報知手段とを備えている。選択された温水暖房系統１９およびこれに接続される新設の端末機２と遠隔コントローラ１４との制御関係を設定する制御設定手段を備えていることが望ましい。【選択図】  図１
2004163001.tif 000002
【特許請求の範囲】
【請求項１】
熱源機と、この熱源機を操作するための遠隔コントローラと、前記熱源機が有する複数の温水暖房系統に配管接続される１以上の暖房用の端末機とを含む温水暖房システムであって、
前記遠隔コントローラにより制御可能となる端末機に関連して前記遠隔コントローラに設けられた端末機対応が可能な操作部と、
新設の端末機が配管接続される温水暖房系統として選択可能もしくは選択不可能な温水暖房系統を検索する検索手段と、
この検索手段での検索結果を報知する報知手段と、
を備えていることを特徴とする温水暖房システム。
【請求項２】
請求項１に記載の温水暖房システムにおいて、
前記検索手段は、端末機対応可能な前記操作部でなされた操作に応答して、温水暖房系統について所要の検索を行う温水暖房システム。
【請求項３】
請求項１に記載の温水暖房システムにおいて、
前記検索手段は、端末機対応可能な前記操作部を有する遠隔コントローラと熱源機のコントローラとの通信開始に伴い、温水暖房系統について所要の検索を行う温水暖房システム。
【請求項４】
請求項１ないし請求項３のいずれかに記載の温水暖房システムにおいて、
前記遠隔コントローラにより制御可能となる端末機が新設される場合に、前記報知手段により報知される選択可能な温水暖房系統のうちから、１または複数の温水暖房系統を選択する選択操作に応答して、選択された温水暖房系統およびこの温水暖房系統に配管接続される前記新設の端末機を、前記遠隔コントローラの端末機対応可能な前記操作部により制御しうるよう、これらの間の制御関係を設定する制御設定手段を備えている温水暖房システム。
【請求項５】
請求項４に記載の温水暖房システムにおいて、
前記検索手段は、前記制御設定手段が１の温水暖房系統について所要の制御関係を設定した後、その制御関係を前提にして、次に新設される端末機が配管接続される温水暖房系統として選択可能もしくは選択不可能な温水暖房系統を新たに検索し、
前記報知手段は、前記検索手段での新たな検索の結果を報知する温水暖房システム。
【請求項６】
熱源機と、この熱源機を操作するための遠隔コントローラと、前記熱源機が有する複数の温水暖房系統に配管接続される１以上の暖房用の端末機とを含む温水暖房システムであって、
前記遠隔コントローラにより制御可能となる端末機に関連して前記遠隔コントローラに設けられた端末機対応が可能な操作部と、
前記遠隔コントローラにより制御可能となる端末機が新設される場合において、端末機対応可能な前記操作部を有する遠隔コントローラと熱源機のコントローラとの通信開始に伴い、前記新設の端末機が配管接続される温水暖房系統として選択可能もしくは選択不可能な温水暖房系統を検索する検索手段と、
前記検索手段により検索された選択可能な温水暖房系統のうちから、１の温水暖房系統を選択し、選択された温水暖房系統およびこの温水暖房系統に配管接続される前記新設の端末機を、前記遠隔コントローラの端末機対応可能な前記操作部により制御しうるよう、これらの間の制御関係を自動設定する制御自動設定手段と、
前記制御自動設定手段での自動設定の内容を報知する自動設定報知手段と、
を備えていることを特徴とする温水暖房システム。
【請求項７】
請求項６に記載の温水暖房システムにおいて、
前記検索手段は、前記制御自動設定手段が１の温水暖房系統について所要の制御関係を自動設定した後、その制御関係を前提にして、次に新設される端末機が配管接続される温水暖房系統として選択可能もしくは選択不可能な温水暖房系統を新たに検索し、
前記制御自動設定手段は、新たに検索された選択可能な温水暖房系統のうちの１の温水暖房系統およびこの温水暖房系統に配管接続される次に新設の端末機とについて所要の制御関係を新たに自動設定し、
前記自動設定報知手段は、前記制御自動設定手段での新たな自動設定の内容を報知する温水暖房システム。
【請求項８】
請求項１ないし請求項７のいずれかに記載の温水暖房システムにおいて、
端末機対応が可能な操作部での操作に応答して、遠隔コントローラとの間で制御関係を設定しうる端末機の台数を、遠隔コントローラにより制御可能となる端末機に対して使用可能な温水暖房系統の数の範囲内で設定する台数設定手段を有する温水暖房システム。
【発明の詳細な説明】
【０００１】
【発明の属する技術分野】
本発明は、熱源機に床暖房機等の暖房用端末機が配管接続されて構成される温水暖房システムに関する。
【０００２】
【従来の技術】
従来の温水暖房システムでは、床暖房機等の端末機にはそれぞれ端末コントローラがあり、端末コントローラから引き出された通信線が熱源機のコントローラ（メインコントローラ）に接続される（例えば、特許文献１参照）。
【０００３】
その構成を図示すると、図７の通りである。熱源機４１には複数（図示のものでは３つ）の温水暖房系統４２（４２ａ，４２ｂ，４２ｃ）があり、これら温水暖房系統４２の全部もしくは一部には、それぞれ端末機４３（４３ａ，４３ｂ）が配管接続される。図示例では、第１の温水暖房系統４２ａに第１の端末機４３ａが配管接続され、第２の温水暖房系統４２ｂには第２の端末機４３ｂが配管接続されている。符号４４ａ，４４ｂは、それぞれ第１および第２の端末機４３ａ，４３ｂのコントローラ（端末コントローラ）である。４５ａ，４５ｂ，４５ｃは、各温水暖房系統４２ａ，４２ｂ，４２ｃに設けられた開閉弁である。
【０００４】
使用者が例えば、第１の端末機４３ａを使用すべく、その端末機専用の端末コントローラ４４ａを操作すると、その端末コントローラ４４ａからメインコントローラ４６には、第１端末機４３ａへの温水要求信号が送られる。この温水要求信号は、メインコントローラ４６に取り込まれるとともに、メインコントローラ４６を通じてそのまま、第１端末機４３ａにつながる第１温水暖房系統４２ａの開閉弁４５ａに、開弁信号として与えられる。メインコントローラ４６は、前記の温水要求信号を取り込み、これに応答して、熱源機４１内の図示省略した暖房循環ポンプの起動、熱交換器のバーナへの点火等の動作を行う。なお、図７において、符号４７は、熱源機４１を操作するための遠隔コントローラ（一般には、リモコンと略称される）であり、メインコントローラ４６と電源線を兼ねる２芯の通信線で双方向通信可能に接続されている。
【０００５】
これに対して、複数の端末機毎にそれぞれ端末コントローラを設けていては不経済、使い勝手が悪い等の観点から、台所等に設置されている遠隔コントローラを利用して、この遠隔コントローラの操作により、端末機の運転を制御できるようにしたシステムが提案されている（特許文献２参照）。
【０００６】
このシステムでは、端末機に専用の端末コントローラがなく、遠隔コントローラに、端末機の動作を制御するための操作部が設けられている。遠隔コントローラの前記操作部の操作により、熱源機の運転が制御されるとともに、端末機につながる温水暖房系統の開閉弁が開閉制御される。
【０００７】
【特許文献１】
特開２００２−１６８４６２号公報（図１、明細書の００１９の項）
【特許文献２】
特開平１１−７２２３６号公報（図２、明細書の０００６の項）
【０００８】
【発明が解決しようとする課題】
上記の温水暖房システムにおいて、既設の熱源機には、多くの場合、能力に余裕があって、暖房用の端末機の新設が可能である。新設される端末機には、専用の端末コントローラを有するタイプのものもあれば、端末コントローラがなく、熱源機用の遠隔コントローラにより制御可能となるタイプのものもある。
【０００９】
ところで、端末機の新設の場合、通常、信号線の配線やその接続、電気的な設定等の電気配線施工が先に行われ、そののち、配管施工が行われる。端末コントローラを有する端末機を新設する場合、まず、端末コントローラからの信号線がメインコントローラの場所まで引き回されて、メインコントローラの基板に温水暖房系統毎に設けられている通信用のコネクタに接続される。
【００１０】
このように、端末コントローラ付きの端末機では、端末コントローラからの信号線が、メインコントローラの基板に設けられている温水暖房系統毎の通信用コネクタに接続されるので、端末機がすべて端末コントローラ付き端末機である温水暖房システムでは、配管の接続状態を確認しなくても、メインコントローラの基板での通信用コネクタの接続状態を見れば、どの温水暖房系統が使用中で、どの温水暖房系統が空き状態であるかが一目で分る。新たに、端末コントローラ付き端末機を新設する場合は、その端末コントローラからの信号線を、メインコントローラの基板の空いているコネクタに接続し、そののち、そのコネクタに対応する温水暖房系統に端末機を配管接続すればよい。
【００１１】
これに対して、専用の端末コントローラを有しておらず、熱源機用の遠隔コントローラにより制御されるタイプの端末機の場合、信号線をメインコントローラの基板のコネクタに接続する必要がない。したがって、メインコントローラまで信号線を引き回す手間が省ける。
【００１２】
しかし、遠隔コントローラにより制御される端末機は、メインコントローラの基板にある通信用コネクタを使用しないので、このタイプの端末機を含む温水暖房システムでは、前記基板での通信用コネクタの接続状態を見ただけでは、使用中の温水暖房系統と、空き状態の温水暖房系統との区別が判然としない。ある温水暖房系統が使用中であっても、これに対応する通信用コネクタに通信線が接続されていない場合がある。そのため、端末コントローラ付き端末機を新設する場合、その端末コントローラからの信号線を、前記のような、一見空き状態であるが、実は空いていないコネクタに誤って接続してしまうおそれがある。遠隔コントローラにより制御可能となるタイプの端末機を新設する場合も、その端末機を配管接続する温水暖房系統として、既に使用中の温水暖房系統を選択して、その温水暖房系統に対する遠隔コントローラの制御関係を設定し、確定してしまうおそれがある。
【００１３】
従来の技術においても、前記のような誤接続、誤設定のような過誤を検出する方策が提案されている（特許文献２参照）。しかし、その検出は、電気配線施工と配管施工とが済み、試運転を行う段階で行われるようになっており、実際に誤接続のような過誤があれば、電気配線施工と配管施工とを初めからやり直す必要が生じ、極めて手間のかかるものであった。
【００１４】
本発明は、温水暖房システムにおける上記のような実情に対処したもので、実際に配線接続や電気的な設定を行う前に、誤接続や誤設定が回避できるようにして、新たに端末機を設ける場合の施工上の手間を省き、施工性を高めることを課題とする。
【００１５】
【課題を解決するための手段】
上述した課題を達成するために、本発明の第１のものは、熱源機と、この熱源機を操作するための遠隔コントローラと、前記熱源機が有する複数の温水暖房系統に配管接続される１以上の暖房用の端末機とを含む温水暖房システムであって、前記遠隔コントローラにより制御可能となる端末機に関連して前記遠隔コントローラに設けられた端末機対応が可能な操作部と、新設の端末機が配管接続される温水暖房系統として選択可能もしくは選択不可能な温水暖房系統を検索する検索手段と、この検索手段での検索結果を報知する報知手段とを備えた温水暖房システムを構成している。
【００１６】
上記構成によれば、端末機を新設する場合、配管施工に先立つ電気配線施工の段階では、台所等に設置される遠隔コントローラを、端末機対応可能な操作部を有するものと取り換えて、この遠隔コントローラを熱源機のコントローラ（メインコントローラ）と通信可能に接続するだけで、あるいは、その遠隔コントローラの端末機対応可能な操作部を操作するだけで、報知手段により、選択可能もしくは選択不可能な温水暖房系統が報知されるから、新設の端末機を配管接続することができる温水暖房系統がどの温水暖房系統であるかが、配管接続を行う前に分かる。
【００１７】
新設の端末機が、専用の端末コントローラを有するタイプである場合、熱源機のコントローラにおいて、その基板に温水暖房系統毎に設けられている通信用コネクタのうち、選択可能と報知された温水暖房系統に対応する通信用コネクタに、前記新設の端末機の端末コントローラから引き出した信号線を接続し、そののち、信号線接続個所に対応する温水暖房系統に前記新設の端末機を配管接続すればよい。
【００１８】
このように、配管接続を行う前に、新設の端末機を配管接続することができる温水暖房系統が分かるから、電気的な設定に間違いが生じることがなく、したがって、新設の端末機の配管接続にも誤りを生じない。従来のように、試運転の段階等で施工上の過誤を検出する場合に比べ、施工のし直しが必要となるようなことがなく、施工上の負担が少ない。
【００１９】
上記構成の温水暖房システムは、さらに、前記報知手段により報知される選択可能な温水暖房系統のうちから、１または複数の温水暖房系統を選択する選択操作に応答して、選択された温水暖房系統およびこの温水暖房系統に配管接続される前記新設の端末機を、前記遠隔コントローラの端末機対応可能な前記操作部により制御しうるよう、これらの間の制御関係を設定する制御設定手段を備えていることが望ましい。この構成では、新設の端末機が、遠隔コントローラにより制御可能となるタイプの端末機である場合において、制御設定手段により、遠隔コントローラと前記新設の端末機との制御関係が確定し、選択された温水暖房系統に新設の端末機を配管接続した後は、遠隔コントローラの端末機対応可能な操作部の操作により、新設端末機の運転が制御しうるようになる。
【００２０】
なお、上記構成の温水暖房システムにおいて、制御設定手段が１の温水暖房系統について所要の制御関係を設定した後、検索手段および報知手段が、それぞれ検索動作、報知動作を繰り返すようにすれば、新設される複数の端末機について、次々に、遠隔コントローラとの制御関係を設定し、確定することができ、新設される端末機の１台毎に初めから操作を行う面倒さがなくなる。
【００２１】
本発明の第２のものは、熱源機と、この熱源機を操作するための遠隔コントローラと、前記熱源機が有する複数の温水暖房系統に配管接続される１以上の暖房用の端末機とを含む温水暖房システムであって、前記遠隔コントローラにより制御可能となる端末機に関連して前記遠隔コントローラに設けられた端末機対応が可能な操作部と、前記遠隔コントローラにより制御可能となる端末機が新設される場合において、端末機対応可能な前記操作部を有する遠隔コントローラと熱源機のコントローラとの通信開始に伴い、前記新設の端末機が配管接続される温水暖房系統として選択可能もしくは選択不可能な温水暖房系統を検索する検索手段と、前記検索手段により検索された選択可能な温水暖房系統のうちから、１の温水暖房系統を選択し、選択された温水暖房系統およびこの温水暖房系統に配管接続される前記新設の端末機を、前記遠隔コントローラの端末機対応可能な前記操作部により制御しうるよう、これらの間の制御関係を自動設定する制御自動設定手段と、前記制御自動設定手段での自動設定の内容を報知する自動設定報知手段とを備えた温水暖房システムを構成している。
【００２２】
上記構成では、台所等に設置される遠隔コントローラを、端末機対応可能な操作部を有するものと取り換えて、この遠隔コントローラを熱源機のコントローラと通信可能に接続するだけで、新設の端末機を配管接続すべき適正な温水暖房系統が選ばれて、この温水暖房系統と、これに配管接続される新設の端末機とに対する遠隔コントローラの制御関係が確定する。前記の選ばれた温水暖房系統に新設の端末機を配管接続した後は、遠隔コントローラの端末機対応可能な操作部により、新設端末機の運転が制御しうるようになる。遠隔コントローラでの設定操作を行う必要がない。
【００２３】
なお、上記構成の第２の発明において、制御自動設定手段が１の温水暖房系統について所要の制御関係を自動的に設定した後、検索手段、制御自動設定手段および自動設定報知手段が、それぞれ検索動作、自動設定動作、報知動作を繰り返すようにすれば、新設される複数の端末機について、次々に遠隔コントローラとの制御関係が設定され確定することになり、複数の端末機を新設する場合に便利である。
【００２４】
上記第１および第２の発明での報知手段、自動設定報知手段は、例えば、温水暖房系統毎に点灯や点滅で選択可能等を示すＬＥＤのような発光体、数字や文字で選択の可否等を示す表示器、音声で選択の可否等を示す発音体等であり、選択の可否や自動設定の内容が識別可能に表現しうる手段であればよい。この報知手段や自動設定報知手段は、遠隔コントローラに設けられるが、熱源機のコントローラ（メインコントローラ）に設けてもよい。
【００２５】
また、上記各発明での熱源機は、暖房専用の熱源機であってもよいし、温水暖房の他に、一般給湯機能、風呂機能のうち少なくとも一つを併せ持つ熱源機であってもよい。熱媒体である温水を生成する手段には、ガス燃焼機、石油燃焼機、電気ヒータ等、種々のものが採用可能である。熱媒体には、不凍液を使用する場合もある。
【００２６】
【発明の実施の形態】
図１ないし図６は、本発明の一実施形態を示すもので、図１は、一実施形態に係る温水暖房システムの全体の構成図、図２は、図１のシステムの一部である遠隔コントローラの正面図、図３は、図１のシステムの他の一部であるメインコントローラ（熱源機のコントローラ）の基板の部分正面図、図４ないし図６は、図１のシステムの動作を示すフローチャートで、図４ないし図６の各図において、（Ａ）は遠隔コントローラの動作を示し、（Ｂ）はメインコントローラの動作を示している。
【００２７】
図１に示すように、この実施形態の温水暖房システムは、熱源機１と、この熱源機１に対して設けられた複数の暖房用の端末機２ａ，２ｂ，２ｃ（２と総称）とからなる。図示例では、端末機２は３つで、そのうちの２つ２ａ，２ｂが、専用のコントローラ（端末コントローラ）３ａ，３ｂ（３と総称）を有するタイプであり、他の１つ２ｃが、専用のコントローラを有しないタイプである。なお、仮想線で示された端末機２ｄは、新設されることになる端末機である。
【００２８】
熱源機１は、内部に貯湯タンク４と、バーナ５を備えた熱交換器６と、この熱交換器６と前記貯湯タンク４との間に設けられた循環ポンプ７と、前記貯湯タンク４から循環ポンプ７、熱交換器６の順に湯水を循環させる内循環路８と、熱源機１の全体の動作を制御するコントローラ９（以下、メインコントローラと言う）とを備えている。貯湯タンク４には、給水弁１０を有する給水管１１が接続されている。熱交換器６の下流側には、高温用の温度センサ１２が設けられ、循環ポンプ７の下流側には、低温用の温度センサ１３が設けられている。メインコントローラ９には遠隔コントローラ１４（熱源機１を離れた場所から操作するためのコントローラで、一般にはリモコンと略称される）が、電源線を兼ねる２芯の通信線１５で双方向通信可能に接続されている。この遠隔コントローラ１４は、主として台所に設置されるが、居間、浴室等、他の場所にも設置される。
【００２９】
内循環路８には、これから分岐もしくは合流する形で、高温用往路１６と、低温用往路１７と、復路１８とからなる外循環路が設けられている。高温用往路１６は、高温用温度センサ１２の下流側で内循環路８から分岐しており、この高温用往路１６の下流部は、さらに第１の温水暖房系統１９ａと第２の温水暖房系統１９ｂとに分岐している。低温用往路１７は、熱交換器６の上流側で内循環路８から分岐しており、この低温用往路１７の下流部は、さらに、第３の温水暖房系統１９ｃと第４の温水暖房系統１９ｄと第５の温水暖房系統１９ｅとに分岐している。復路１８は、貯湯タンク４の上流側で内循環路８に合流している。
【００３０】
前記の第１ないし第５の各温水暖房系統１９ａ，１９ｂ，１９ｃ，１９ｄ，１９ｅ（１９と総称）には、それぞれ電気的に開閉制御される開閉弁２０ａ，２０ｂ，２０ｃ，２０ｄ，２０ｅ（２０と総称）が設けられている。なお、前記の温水暖房系統１９のうち、低温側の温水暖房系統１９ｃ，１９ｄ，１９ｅには、それぞれ熱源機１の内側で開閉弁２０ｃ，２０ｄ，２０ｅが設けられるが、高温側の温水暖房系統１９ａ，１９ｂの開閉弁２０ａ，２０ｂは、後述するように端末機２ａ，２ｂに内蔵されるものである。
【００３１】
前記の温水暖房系統１９の全部もしくは一部には、それぞれ温水利用の暖房端末機２が配管接続される。図示例では、高温側の温水暖房系統である第１の温水暖房系統１９ａに、端末コントローラ３ａを備えた第１の端末機２ａが配管接続され、第２の温水暖房系統１９ｂには、同じく端末コントローラ３ｂを備えた第２の端末機２ｂが配管接続されている。これら高温側の温水暖房系統１９ａ，１９ｂに配管接続されるのは、具体的には、温水パネルヒータや温水エアコン等の高温端末機である。第１および第２の各端末機２ａ，２ｂは、それぞれ内部に開閉弁２０ａ，２０ｂを有している。また、これらの端末機２ａ，２ｂが有する端末コントローラ３ａ，３ｂは、信号線２１により、メインコントローラ９と通信可能に接続されている。
【００３２】
低温側の温水暖房系統である第３の温水暖房系統１９ｃには、第３の端末機２ｃが配管接続されている。第３の端末機２ｃは、この例では、専用のコントローラ（端末コントローラ）を有さず、遠隔コントローラ１４により制御可能となるタイプの端末機である。第３の端末機２ｃのように低温側の温水暖房系統１９ｃ，１９ｄ，１９ｅに配管接続されるのは、床暖房機のような低温端末機である。
【００３３】
なお、上記の温水暖房システムは、浴槽への給湯や追い焚き、台所や洗面所等への給湯も行うものであるが、そのための回路や機器は、本発明には特に関係ないので、図示を省略している。
【００３４】
図２は、遠隔コントローラ１４の前面の形状を示している。同図にあるように、遠隔コントローラ１４の前面には、表示部２２と、発音体２３と、各種の操作用のボタン２４ａ，２４ｂ，２４ｃ，２４ｄ，２４ｅ，２４ｆが設けられている。前記の操作用のボタンのうち、ふろ自動のボタン２４ａと、運転のボタン２４ｂと、表示部２２の表示に関連して一般給湯温度、浴槽湯水の温度、浴槽湯水の水位等の各種設定値の変更操作に使用される上行ボタン２４ｃと、その下行ボタン２４ｄとが、熱源機１の運転を制御するための操作部２５を構成している。
【００３５】
そして、端末のボタン２４ｅは、端末機対応が可能な操作部２６を構成するボタンであり、設定のボタン２４ｆは、各種操作メニューを表示部２２に呼び出すためのボタンである。なお、設定のボタン２４ｆが操作されて操作モードが変わった後は、前記の上行ボタン２４ｃおよび下行ボタン２４ｄは、端末機対応が可能な操作部２６を構成するボタンとしても機能する。さらに、設定のボタン２４ｆ等、他のボタンが、端末機対応が可能な操作部２６を構成するボタンとして機能することもある。この端末機対応が可能な操作部２６の操作により、遠隔コントローラ１４は、端末コントローラを有しない遠隔操作型の端末機を操作しうるようになる。図示例のものでは、遠隔コントローラ１４は、端末コントローラを有しない遠隔操作型の端末機を少なくとも２台操作しうるようになっている。
【００３６】
前記の表示部２２と発音体２３とは、熱源機１の運転状態等、熱源機１に関する情報を報知するほか、新設する端末機２ｄを含め、熱源機１につながる端末機２に関する情報を報知する手段としても機能する。
【００３７】
図３は、メインコントローラの基板の一部を示している。同図にあるように、メインコントローラ９の基板２７には、温水暖房系統１９（１９ａ，１９ｂ，１９ｃ，１９ｄ，１９ｅ）毎に通信用のコネクタ２８（２８ａ，２８ｂ，２８ｃ，２８ｄ，……２８ｎ）と、出力用のコネクタ２９（２９ａ，２９ｂ，２９ｃ，２９ｄ，……２９ｎ）と、ＬＥＤからなる発光体３０（３０ａ，３０ｂ，３０ｃ，３０ｄ，……３０ｎ）とが横に並んだ形に設けられており、ほかに７セグメントの表示器３１が設けられている。
【００３８】
通信用コネクタ２８には、端末機２が有する端末コントローラ３からの信号線２１が接続される。図１に図示した構成に即して説明すると、第１温水暖房系統１９ａには第１端末機２ａが配管接続されているから、第１端末機２ａの端末コントローラ３ａから引き出された信号線２１が、第１温水暖房系統１９ａに対応する通信用コネクタ２８ａに接続される。これと同様に、第２温水暖房系統１９ｂに対応する通信用コネクタ２８ｂには、第２端末機２ｂの端末コントローラ３ｂからの信号線が接続される。なお、第３温水暖房系統１９ｃには第３端末機２ｃが配管接続されているが、第３端末機２ｃは、端末コントローラを持たず、遠隔コントローラ１４により制御可能となるタイプであるので、第３温水暖房系統１９ｃに対応する通信用コネクタ２８ｃには、信号線が接続されていない。
【００３９】
また、出力用コネクタ２９には、温水暖房系統１９に設けられた開閉弁２０を制御するための信号線が接続されるが、図示のものでは、出力用コネクタ２９のうち、低温側の第３温水暖房系統１９ｃに対応する出力用コネクタ２９ｃに、第３温水暖房系統１９ｃに設けられた開閉弁２０ｃを制御するための信号線が接続される。高温側の温水暖房系統１９ａ，１９ｂの開閉弁２０ａ，２０ｂは、それぞれ端末機２ａ，２ｂに内蔵されていて、その端末コントローラ３ａ，３ｂにより直接的に開閉制御されるので、高温側の温水暖房系統１９ａ，１９ｂに対応する出力用コネクタ２９ａ，２９ｂには、開閉弁制御用の信号線は接続されない。
【００４０】
〔端末機の新設の場合〕
次に、上記構成の温水暖房システムにおいて、端末機２を新設する場合の動作を説明する。新設する端末機は、端末コントローラ３を有するタイプの端末機２でも、また、端末コントローラを持たず、遠隔コントローラ１４により制御可能となるタイプの端末機２でもよいが、ここでは主として、図１に仮想線で図示するように、端末コントローラを持たず、遠隔コントローラ１４により制御可能となるタイプの端末機（以下、第４の端末機という）２ｄを新設する場合について説明し、併せて、端末コントローラ３を有するタイプの端末機２を新設する場合についても簡単に説明する。
【００４１】
一般に、温水暖房システムで端末機を新設する場合、配管接続等の配管施工に先立って電気配線施工を行う必要がある。この電気配線施工では、新設する端末機が、第４端末機２ｄのような、端末コントローラを持たない端末機であるときは、信号線をメインコントローラ９にまで引き回す必要はないが、施工者は、この端末機２ｄが配管接続される温水暖房系統１９を選択した上で、その端末機２ｄが遠隔コントローラ１４の操作により制御できるよう、選択された温水暖房系統１９とこれに配管接続される新設の端末機２ｄとに対する遠隔コントローラ１４の制御関係を設定し、確定する必要がある。
【００４２】
図４のフローチャートは、端末機２を新設する場合の電気配線施工において、新設する端末機２ｄが配管接続される温水暖房系統１９を適正に選択できるようにする動作を示している。なお、ここで、遠隔コントローラ１４は、端末コントローラ３を有しない端末機２を少なくとも２台各別に操作可能で、したがって２つの温水暖房系統１９を操作しうるものとする。また、このフローチャートは、新設する端末機２ｄが、端末コントローラを持たず、遠隔コントローラ１４により制御可能となるタイプの端末機である場合において、適正に選択された温水暖房系統１９とこれに配管接続される新設の端末機２ｄとに対する遠隔コントローラ１４の制御関係を設定し、確定する動作を示している。この一連の動作において、メインコントローラ９は、選択可能もしくは選択不可能の温水暖房系統１９を検索する検索手段、および選択された温水暖房系統１９とこれに配管接続される新設の端末機２ｄとに対する遠隔コントローラ１４の制御関係を設定し、確定する制御設定手段として機能する。遠隔コントローラ１４の表示部２２や発音体２３、およびメインコントローラ９の基板２７の発光体３０や表示器３１は、前記検索手段での検索結果を報知する報知手段として機能する。
【００４３】
図４の（Ａ）に示すように、遠隔コントローラ１４の側では、ステップＳｒ１で、設定のボタン２４ｆが操作されるなどして、第４端末機２ｄを配管接続すべき温水暖房系統１９を選ぶための系統選択モードになっているか否かを判断し、系統選択モードになっていれば、ステップＳｒ２に進む。この段階では、遠隔コントローラ１４の表示部２２には、遠隔コントローラ１４により制御されることになる１番目の温水暖房系統と、２番目の温水暖房系統のうち、どちらの温水暖房系統を選ぶか、その番号が表示され、この表示に隣り合う上行ボタン２４ｃや下行ボタン２４ｄの操作で、いずれかの温水暖房系統の番号が入力しうるようになっている。ステップＳｒ２では、番号が入力されたか否かを判断し、番号が入力されていれば、ステップＳｒ３で、その入力番号をメインコントローラ９に向けて送信する。
【００４４】
メインコントローラ９では、図４の（Ｂ）に示すように、ステップＳｍ１で、遠隔コントローラ１４からの温水暖房系統の番号の送信を待っていて、入力番号を受信すれば、ステップＳｍ２に進んで、新設の端末機２ｄが配管接続される１番目の温水暖房系統１９として選択可能もしくは選択不可能の温水暖房系統１９を検索する。このように、メインコントローラ９では、いずれかの温水暖房系統の番号の受信が、検索の動作を始める合図となっている。
【００４５】
ステップＳｍ２での選択可能もしくは選択不可能な温水暖房系統１９の検索は、例えば、メインコントローラ９の基板２７にある通信用コネクタ２８から信号を送出し、それに対する応答を検出して行う。検索対象となった通信用コネクタ２８に端末コントローラ３からの通信線２１が接続されていれば、端末コントローラ３が応答するから、検索対象のコネクタ２８は使用中であり、このコネクタ２８に対応する温水暖房系統１９も使用中であることが分かる。
【００４６】
ステップＳｍ２での検索は、メインコントローラ９に内蔵のメモリ（図示せず）の記憶内容を調べることによっても行われる。熱源機１に対して、端末コントローラを持たず、遠隔コントローラ１４により制御可能となるタイプの端末機２が設けられている場合は、この端末機２が遠隔コントローラ１４の操作により制御されるよう、この端末機２と遠隔コントローラ１４との間には制御関係が既に設定されており、その制御関係はメモリに記憶されているはずである。この検索の仕方により、第３温水暖房系統１９ｃに対応する通信用コネクタ２８ｃは空いた状態にあっても、第３温水暖房系統１９ｃには、端末コントローラのない端末機（第３端末機２ｃ）が配管接続されていて、この温水暖房系統１９ｃが使用中であることが分かる。
【００４７】
また、メインコントローラ９のメモリには、各種の使用条件、例えば、温水暖房系統１９のうち、高温側の温水暖房系統１９ａ，１９ｂには、遠隔コントローラ１４により制御可能となるタイプの端末機２は配管接続しない、等の条件が記憶されている場合は、このような記憶内容を調べることによっても、選択可能もしくは選択不可能な温水暖房系統１９の検索が行われる。
【００４８】
以上のようにして、５つの温水暖房系統１９のうち、第４と第５の温水暖房系統１９ｄ，１９ｅが空き状態で、選択可能な温水暖房系統であることが分かる。メインコントローラ９は、ステップＳｍ３で、この検索結果を遠隔コントローラ１４側に送信し、次のステップＳｍ４で、前記の検索結果をメインコントローラ９の側でも表示する。メインコントローラ９での検索結果の表示は、たとえば、各通信用コネクタ２８に対応する発光体３０を点灯もしくは点滅させることで、行われる。具体的には例えば、発光体３０の点灯で、対応する温水暖房系統１９が使用中であることを示し、発光体３０の点滅で、対応する温水暖房系統１９が空き状態であることを示すようにすればよい。また、表示器３１により検索結果を表示してもよく、発音体を備えている場合は、音声で検索結果を報知するようにしてもよい。
【００４９】
一方、遠隔コントローラ１４の側では、ステップＳｒ４で、メインコントローラ９からの検索結果の送信を待っており、検索結果を受信すると、ステップＳｒ５で、検索結果を表示部２２に表示する。併せて、発音体２３により音声で検索結果を報知する場合もある。
【００５０】
この段階では、メインコントローラ９の側でも、発光体３０の表示等により、空き状態にあって選択可能な温水暖房系統１９が示されるから、端末コントローラ３付きの端末機２を新設する場合は、施工者は、メインコントローラ９側での発光体３０等の表示に従い、端末コントローラ３から引き出した信号線２１を、選択可能な温水暖房系統１９に対応する通信用コネクタ２８に接続し、こののち、信号線２１を接続したコネクタ２８に対応する温水暖房系統１９に新設の端末機２を配管接続する配管施工を行えばよい。
【００５１】
新設する端末機が、第４端末機２ｄのように、端末コントローラを持たず、遠隔コントローラ１４により制御可能となるタイプの端末機である場合、さらに、その新設の端末機２ｄと遠隔コントローラ１４との制御関係を設定し、確定する必要がある。そこで、遠隔コントローラ１４の側では、検索結果を表示したのち、ステップＳｒ６で、施工者の温水暖房系統１９を選択する操作を待ち、選択可能な温水暖房系統１９（ここでは、第４温水暖房系統１９ｄと、第５温水暖房系統１９ｅ）のいずれかが選択されると、ステップＳｒ７で、選択結果をメインコントローラ９側に送信する。
【００５２】
メインコントローラ９は、ステップＳｍ５で、施工者の選択結果を遠隔コントローラ１４側から受け取ると、ステップＳｍ６で、施工者の選択通りに、選択された温水暖房系統（ここでは、第４温水暖房系統１９ｄ）とこれに配管接続される第４端末機２ｄとに対する遠隔コントローラ１４の制御関係を確定し、その制御関係を内蔵のメモリに格納する。これで、端末コントローラを有しない端末機（第４端末機２ｄ）を新設する場合の電気配線施工は終わるから、こののち、選択された温水暖房系統１９ｄに第４端末機２ｄを配管接続する配管施工を行えばよい。
【００５３】
以上のように、端末機２を新設する場合、電気配線施工の段階で、選択すべき温水暖房系統１９が分かるから、誤配線や誤設定等の過誤を生じるおそれがなく、したがって、配管接続の誤りも未然に防止される。そのため、従来、新設の工事をすべて完了した後の試運転の段階で、誤配線等の過誤を検出する場合に比べ、新設工事を初めからやり直すといった面倒を生じることがなく、施工上の負担が少なくて済む。
【００５４】
なお、上記の説明では、遠隔コントローラ１４は、端末コントローラ３を有しない端末機２を少なくとも２台各別に操作しうるものとしたが、この端末機２の台数は、遠隔コントローラ１４により制御可能となる端末機２に対して使用可能な温水暖房系統１９の数の範囲内で、設定しうるようにしてもよい。具体的には例えば、新設しうる端末機の台数として遠隔コントローラ１４で「２」を入力すると、これに応答してメインコントローラ９が、空いている温水暖房系統１９を検索し、使用可能な温水暖房系統１９が二つあれば、遠隔コントローラ１４により制御される端末機２の台数は、操作入力通りに「２」に設定し、使用可能な温水暖房系統１９が操作入力の数「２」に足りない場合は、そのことを表示して、新設しうる端末機の台数の入力のし直しを促す。
【００５５】
図４のフローチャートでは、熱源機１が有する温水暖房系統１９の全部についてそれぞれ選択可能か否かを検索して、その検索結果を遠隔コントローラ１４の表示部２２に一括して表示するようにしているが、一つの温水暖房系統１９毎に、検索と、その検索結果の表示とを行い、いずれかの温水暖房系統１９が選択されるまで、検索とその結果表示とを繰り返すようにしてもよい。
【００５６】
また、図４のフローチャートでは、メインコントローラ９は、遠隔コントローラ１４の側での制御系統の番号の入力と、その入力番号の送信とを待って、ステップＳｍ２で、選択可能な温水暖房系統１９の検索を行うようにしているが、遠隔コントローラ１４が温水暖房系統１９の選択モードに入り、そのことがメインコントローラ９の側に送信されれば、メインコントローラ９は、これに応答して検索を行うようにしてもよい。
【００５７】
さらに、図４のフローチャートでは、遠隔コントローラ１４は、ステップＳｒ６で、施工者の温水暖房系統１９を選択する操作を待ち、いずれかの温水暖房系統が選択されると、選択された温水暖房系統１９とこれに配管接続される第４端末機２ｄとに対する遠隔コントローラ１４の制御関係を確定するようにしているが、施工者の選択等の操作を介さずに、メインコントローラ９もしくは遠隔コントローラ１４の側で、選択可能な温水暖房系統１９のうちから、新設の端末機２ｄを配管接続する温水暖房系統１９を自動的に決定するようにしてもよい。
【００５８】
図５のフローチャートは、施工者の選択等の操作を介さずに、新設の端末機２ｄを配管接続する温水暖房系統１９を機械的に決定し、決定された温水暖房系統１９とこれに配管接続される端末機２とに対する遠隔コントローラ１４の制御関係を自動的に確定する動作を示している。
【００５９】
端末機２を増設する場合、この実施形態の温水暖房システムでは、電気配線施工の段階で、台所等に設置されている遠隔コントローラが、端末機対応可能な操作部２６を有しないものである場合、この遠隔コントローラを、端末機対応可能な操作部２６を有する遠隔コントローラ１４と取り換える必要がある。遠隔コントローラの取り換えを行い、新たな遠隔コントローラ１４を、メインコントローラ９と通信可能な状態に接続すると、遠隔コントローラ１４とメインコントローラ９とは、自動的に通信を行う。
【００６０】
図５の（Ｂ）において、メインコントローラ９は、ステップＲｍ１で、遠隔コントローラ１４との通信が開始されたか否かを判断し、既に通信が開始されたのであれば、ステップＲｍ２で、使用可能な温水暖房系統１９を検索する。この検索は、図４の（Ｂ）のステップＳｍ２での検索と同じ動作である。次のステップＲｍ３では、使用可能な温水暖房系統１９のうちから一つを機械的に選んで（使用可能な温水暖房系統１９が一つである場合は、その温水暖房系統を、使用可能な温水暖房系統１９が複数ある場合は、番号の若い方を、というように選んで）、これ（この場合は温水暖房系統１９ｄ）を新設の端末機２ｄを配管接続する温水暖房系統と決定する。そして、その次のステップＲｍ４では、前記の決定通りに、決定された温水暖房系統１９ｄとこれに配管接続される新設の第４端末機２ｄとに対する遠隔コントローラ１４の制御関係を確定し、その制御関係を内蔵のメモリに格納する。制御関係が確定されると、ステップＲｍ５で、その確定内容を遠隔コントローラ１４側に送信し、ステップＲｍ６で、メインコントローラ９側の基板２７にある発光体３０等により、確定内容を表示する。一方、遠隔コントローラ１４は、ステップＲｒ１で、メインコントローラ９からの送信を待っており、確定内容のデータを受信すると、ステップＲｒ２で、確定内容を表示部２２に表示する。
【００６１】
上記構成では、台所等に設置される遠隔コントローラを、端末機対応可能な操作部を有するものと取り換えて、この遠隔コントローラを熱源機のコントローラと通信可能に接続するだけで、使用可能な温水暖房系統と、これに配管接続される新設の端末機とに対する遠隔コントローラの制御関係が確定し、施工者による設定操作を必要としない。こののち、所定の温水暖房系統に新設の端末機を配管接続すれば、遠隔コントローラの端末機対応可能な操作部により、新設端末機の運転が制御しうるようになる。
【００６２】
なお、上記のルーチンでは、新設の端末機２であって、遠隔コントローラ１４により制御可能となる端末機２は１台として説明したが、遠隔コントローラ１４により制御可能となる端末機２の台数（したがって、新設しうる端末機２の台数）は、熱源機１に設けられている温水暖房系統１９のうち、端末コントローラ３を有しない端末機２が接続可能な温水暖房系統１９の数の範囲内で、適宜変更可能である。
【００６３】
また、図５のフローチャートで示す動作では、新設される端末機２について、遠隔コントローラ１４と１の温水暖房系統１９との制御関係が自動設定されると、一連の動作を終えるようにしているが、温水暖房系統１９の検索や、制御関係の自動設定等を繰り返し行うようにしてもよい。すなわち、遠隔コントローラ１４で制御しうる端末機２の台数が複数であって、かつ、次に新設される端末機２がある場合には、前記の自動設定の後、その制御関係を前提にして、次に新設される端末機２が配管接続される温水暖房系統１９として選択可能もしくは選択不可能な温水暖房系統を新たに検索し、新たに検索された選択可能な温水暖房系統のうちの１の温水暖房系統およびこの温水暖房系統に配管接続される、前記次に新設の端末機とについて所要の制御関係を新たに自動設定し、この新たな自動設定の内容を報知するようにしてもよい。
【００６４】
このような繰り返し動作は、図４のフローチャートに示すルーチンでも行われるようにしてもよい。すなわち、新設する端末機２について遠隔コントローラ１４と１の温水暖房系統１９との制御関係が設定された後、次に新設する端末機２がある場合、前記の制御関係を前提にして、次に新設される端末機が配管接続される温水暖房系統として選択可能もしくは選択不可能な温水暖房系統を新たに検索し、新たな検索の結果を報知するようにしてもよい。
【００６５】
このほか、図４に示すルーチンもしくは図５に示すルーチンにより、使用可能な温水暖房系統１９とこれに配管接続される新設の端末機２とに対する遠隔コントローラ１４の制御関係が設定された後、通常の運転モードに復帰した場合、メインコントローラ９では、その時点で使用可能な温水暖房系統１９を、基板２７に設けられている発光体３０もしくは表示器３１により表示させるようにしてもよい。この場合、使用可能な温水暖房系統１９は、新たな検索により求めてもよいし、制御関係の設定の前に行われた検索の結果から、新設される端末機２の分を差し引くことで求めてもよい。
【００６６】
〔第１端末機を運転する場合〕
次に、上記のように、端末コントローラを持たず、遠隔コントローラ１４により制御可能となるタイプの端末機である第４端末機２ｄを新設した温水暖房システムにおいて、いずれかの端末機２を運転する操作や、その操作に伴う動作を説明する。熱源機１に対して設けられている４つの端末機２のうち、端末コントローラ３を有する端末機２、例えば、第１の端末機２ａを使用する場合は、その端末コントローラ３ａを操作すればよい。
【００６７】
第１端末機２ａの端末コントローラ３ａが操作されると、その端末コントローラ３ａからメインコントローラ９には、第１端末機２ａへの温水要求信号が送られる。この温水要求信号は、メインコントローラ９の基板２７に第１温水暖房系統１９ａに対応して設けられている通信用コネクタ２８ａに入力する。メインコントローラ９はこの温水要求信号に応答して、循環ポンプ７の起動、熱交換器６のバーナ５への点火等の動作を行う。一方、第１端末機２ａの端末コントローラ３ａから、第１端末機２ａに内蔵の開閉弁２０ａには開弁信号が送られ、開閉弁２０ａは開弁する。これで、第１端末機２ａには、温水が供給される。
【００６８】
〔第３端末機を運転する場合〕
端末コントローラを有しないタイプの端末機２、例えば、第４端末機２ｄを使用する場合は、遠隔コントローラ１４の端末機対応が可能な操作部２６を操作すればよい。ここでは、遠隔コントローラ１４により第４端末機２ｄの運転が制御しうるよう、遠隔コントローラ１４と第４端末機２ｄとの制御関係は、前記したように既に設定され、確定している。
【００６９】
図６のフローチャートは、第４端末機２ｄを運転する場合の動作を示している。同図のフローチャートにあるように、遠隔コントローラ１４の側では、ステップＴｒ１で、設定のボタン２４ｆが操作されるなどして、端末制御モードになっているか否かを判断し、端末制御モードになっていれば、ステップＴｒ２で、端末コントローラを有しないタイプの端末機２のうち、どの端末機を運転するのかを判断する。図示の温水暖房システムでは、端末コントローラを有しない端末機は、第３端末機２ｃと第４端末機２ｄである。上行ボタン２４ｃや下行ボタン２４ｄ等の操作により、第４端末機２ｄが指示されていれば、次のステップＴｒ３で、第４端末機２ｄへの温水要求信号をメインコントローラ９に向けて送信する。
【００７０】
メインコントローラ９は、ステップＴｍ１で、温水要求信号に対して待機していて、温水要求信号を受信すると、ステップＴｍ２で、第４端末機２ｄが配管接続されている第４温水暖房系統１９ｄの開閉弁２０ｄを開放し、ステップＴｍ３で循環ポンプ７を駆動し、ステップＴｍ４で熱交換器６のバーナ５を点火燃焼させる。これで、第４端末機２ｄには熱源機１から第４温水暖房系統１９ｄを通じて温水が送られることになり、第４端末機２ｄは運転状態となる。ステップＴｍ５では、このような第４端末機２ｄの運転状況を遠隔コントローラ１４に向けて送信する。
【００７１】
遠隔コントローラ１４は、ステップＴｒ４で、メインコントローラ９からの送信を受け、ステップＴｒ５でその受信内容、すなわち、第４端末機２ｄの運転状況を表示部２２に表示する。
【００７２】
【発明の効果】
本発明の第１によれば、端末機を新設する場合、電気配線施工の段階で、選択可能な温水暖房系統等が分かるから、誤配線や誤設定等の過誤を生じるおそれがなく、したがって、配管接続の誤りも未然に防止される。そのため、従来、新設の工事をすべて完了した後の試運転などの段階で、誤配線等の過誤を検出する場合に比べ、新設工事を初めからやり直すといった面倒を生じることがなく、施工上の負担が少なくて済む。
【００７３】
第２の発明では、誤配線や誤設定等の過誤を未然に防止しうるほか、施工者の操作を介さずに、新設の端末機と遠隔コントローラとの制御関係が自動的に設定されるので、施工者に負担をかけず、端末機の新設工事を容易に行える。
【図面の簡単な説明】
【図１】本発明の一実施形態に係る温水暖房システムの全体の構成図である。
【図２】図１のシステムの一部である遠隔コントローラの正面図である。
【図３】図１のシステムの他の一部であるメインコントローラ（熱源機のコントローラ）の基板の部分正面図である。
【図４】図１のシステムの端末機を新設する場合の動作を示すフローチャートで、（Ａ）は遠隔コントローラの動作を示し、（Ｂ）はメインコントローラの動作を示している。
【図５】図１のシステムの端末機を新設する場合の他の動作を示すフローチャートで、（Ａ）は遠隔コントローラの動作を示し、（Ｂ）はメインコントローラの動作を示している。
【図６】図１のシステムの端末機運転時の動作を示すフローチャートで、（Ａ）は遠隔コントローラの動作を示し、（Ｂ）はメインコントローラの動作を示している。
【図７】従来の温水暖房システムの概略構成図である。
【符号の説明】
１    熱源機
２（２ａ，２ｂ，２ｃ，２ｄ）端末機
３（３ａ，３ｂ）端末コントローラ
９    メインコントローラ（熱源機のコントローラ）
１４    遠隔コントローラ
１９（１９ａ．１９ｂ，１９ｃ，１９ｄ，１９ｅ）温水暖房系統
【図１】
2004163001.tif 000003
【図２】
2004163001.tif 000004
【図３】
2004163001.tif 000005
【図４】
2004163001.tif 000006
【図５】
2004163001.tif 000007
【図６】
2004163001.tif 000008
【図７】
2004163001.tif 000009